(57)【要約】  データ処理機器（２０９、２０９’）を含むシステム（２０１）を提供する。ここで、データ処理機器（２０９、２０９’）は、ユーザ機器（２０３）との接続が別のシステム（２０２）に切り替えたことを検出するように適合され、および、ここで、データ処理機器（２０９、２０９’）は、さらにユーザ機器（２０３）との接続が別のシステム（２０２）に切り替える間に、ユーザ機器（２０３）のデータを別のシステム（２０２）に転送するように適合される。
2021505041.tif 000002
【特許請求の範囲】
【請求項１】
システム（２０１）であって、
データ処理機器（２０９、２０９’）と、
トランシーバとを含み、
前記データ処理機器（２０９、２０９’）は、ユーザ機器（２０３）が通信（２０４ａ）を前記システム（２０１）から別のシステム（２０２）に切り替える必要があることを検出するように適合され、および
前記データ処理機器（２０９、２０９’）は、さらに、前記ユーザ機器と前記システムとの間の接続が中断された場合、前記ユーザ機器（２０３）のデータを前記別のシステム（２０２）に転送するように前記トランシーバに通知するように適合される、前記システム（２０１）。
【請求項２】
前記データは、ぺージングメッセージおよび／またはユーザプレーンデータを含む、
請求項１に記載のシステム（２０１）。
【請求項３】
前記データ処理機器（２０９、２０９’）は、前記ユーザ機器（２０３）からおよび／または前記別のシステム（２０２）から前記別のシステム（２０２）に関する情報を取得するように適合される、
請求項１または２に記載のシステム（２０１）。
【請求項４】
前記別のシステム（２０２）に転送されたデータは、ユーザ機器情報、ユーザプレーントンネル情報またはサービス品質情報のうちの少なくとも１つを含む、
請求項１ないし３のいずれか一項に記載のシステム（２０１）。
【請求項５】
前記データ処理機器（２０９、２０９’）は、前記トランシーバが前記ユーザ機器（２０３）のデータを前記別のシステム（２０２）に転送する前に、前記データを第１のシステムのフォーマットから前記別のシステムのフォーマットに変換するように適合される、
請求項１ないし４のいずれか一項に記載のシステム（２０１）。
【請求項６】
前記データ処理機器（２０９、２０９’）は、前記ユーザ機器（２０３）のコンテキストを中断するように適合される、
請求項１ないし５のいずれか一項に記載のシステム（２０１）。
【請求項７】
ユーザ機器（２０３）であって、
接続制御機器（２１１）と、
トランシーバとを含み、
前記接続制御機器（２１１）は、前記ユーザ機器（２０３）が通信を第１のシステム（２０１）から第２のシステム（２０２）に切り替える必要があるかどうかを決定するように適合され、および
前記接続制御機器は、前記ユーザ機器（２０３）が通信を第１のシステム（２０１）から第２のシステム（２０２）に切り替える必要がある場合、前記ユーザ機器（２０３）と前記第１のシステム（２０１）との間の接続（２０４ａ）を中断し、且つ前記通信を前記第２のシステム（２０２）に切り替えるように適合され、
前記トランシーバは、前記第２のシステムからのデータを受信するように適合される、前記ユーザ機器（２０３）。
【請求項８】
前記接続制御機器（２１１）は、さらに、前記ユーザ機器（２０３）が通信を前記第２のシステム（２０２）から前記第１のシステム（２０１）に切り替える必要があるかどうかを決定するように適合され、および
前記接続制御機器（２１１）は、さらに、前記ユーザ機器（２０３）が通信を前記第２のシステム（２０２）から前記第１のシステム（２０１）に切り替える必要がある場合、前記ユーザ機器と前記第１のシステム（２０１）との間の接続（２０４ａ）を復元し、且つ通信を前記第１のシステム（２０１）に切り替えるように適合される、
請求項７に記載のユーザ機器（２０３）。
【請求項９】
前記トランシーバは、前記第２のシステム（２０２）からの指示を受信するように適合され、前記指示は、前記データが前記第１のシステム（２０１）からのものであること指示するために使用される、
請求項７または８に記載のユーザ機器（２０３）。
【請求項１０】
システムにおけるデータ処理方法であって、
ユーザ機器が通信を前記システムから別のシステムに切り替える必要があると検出することと、
前記ユーザ機器との接続を中断し、且つ前記ユーザ機器のデータを前記別のシステムに転送することとを含む、前記システムにおけるデータ処理方法。
【請求項１１】
前記データは、ぺージングメッセージおよび／またはユーザプレーンデータを含む、
請求項１０に記載のシステムにおけるデータ処理方法。
【請求項１２】
前記方法は、
前記ユーザ機器から、および／または前記別のシステムから前記別のシステムに関する情報を取得することをさらに含む、
請求項１０または１１に記載のシステムにおけるデータ処理方法。
【請求項１３】
前記方法は、
前記ユーザ機器から、および／または前記別のシステムから前記別のシステムに関する情報を取得することをさらに含む、
請求項１０または１１に記載のシステムにおけるデータ処理方法。
【請求項１４】
前記方法は、
前記ユーザ機器のコンテキストを中断することをさらに含む、
請求項１１ないし１３のいずれか一項に記載のシステムにおけるデータ処理方法。
【請求項１５】
ユーザ機器における接続を制御するための方法であって、
前記方法は、
前記ユーザ機器（２０３）が通信を第１のシステムから第２のシステムに切り替える必要があるかどうかを決定することと、
前記ユーザ機器（２０３）と前記第１のシステムとの間の接続を中断することと、
前記ユーザ機器（２０３）が通信を前記第１のシステム（２０１）から前記第２のシステム（２０２）に切り替える必要がある場合、通信を前記第２のシステム（２０２）に切り替えることと、および
前記第２のシステムからのデータを受信することとを含む、前記ユーザ機器における接続を制御するための方法。
【請求項１６】
前記方法は、
前記ユーザ機器が通信を前記第２のシステムから前記第１のシステムに切り替える必要があるかどうかを決定することと、および
前記ユーザ機器が通信を前記第２のシステムから前記第１のシステムに切り替える必要がある場合、前記ユーザ機器と前記第１のシステムとの間の接続を復元し、且つ通信を前記第１のシステムに切り替えることとをさらに含む、
請求項１５に記載のユーザ機器における接続を制御するための方法。
【請求項１７】
前記方法は、
前記第２のシステムから指示を受信することであって、前記指示は、前記データが前記第１のシステムからのものであることを指示するために使用されることをさらに含む、
請求項１５または１６に記載のシステムにおけるデータ処理するための方法。
【請求項１８】
プログラムユニットであって、
前記プログラムユニットがプロセッサによって実行されるときに、請求項１５ないし１７のいずれか一項に記載の方法を実行するように適合される、前記プログラムユニット。
【請求項１９】
プログラムコードを含むコンピュータ読み取り可能な媒体であって、
前記プログラムコードがプロセッサによって実行されるときに、請求項１５ないし１７のいずれか一項に記載の方法を実行するように適合される、前記プログラムコードを含むコンピュータ読み取り可能な媒体。
【発明の詳細な説明】
【技術分野】
【０００１】
本発明は、通信ネットワークの技術分野に関する。具体的に、本発明は、システム、ユーザ機器、システムにおけるデータ処理方法、ユーザ機器における接続を制御するための方法、プログラムユニットおよびコンピュータ読み取り可能な媒体に関する。
【背景技術】
【０００２】
５Ｇの特徴は、異なる性能およびデータサービスモデル（ＩＰデータトラフィック、非ＩＰデータトラフィックなど）および短いデータバースト（例えば、モノのインターネットベースのアプリケーションにおいて）を有する異なる機器およびサービスをサポートすることができる。このようなのアプリケーションでは、センサは小さなの状態の更新からストリーミングビデオまで、様々なサイズのデータパッケージを送信することができ、またはスマートフォンなどの最新の電話は、様々な量のデータを生成することができる。４Ｇと比較すると、５Ｇのアーキテクチャは、大量のデータに対して設計されたものだけでなく、少量のデータを送信する前後に長いシグナリングプロセスが必要としない短いデータパケットもサポートする。クラウドロボットなどのクラウドアプリケーションは、機器ではなくネットワーク上でコンピューティングすることができるため、低いエンドツエンドの遅延および高いデータレートが必要になる場合がある。
【０００３】
異なる機器は、さらに、異なるモビリティ要件を有し得る。インフラストラクチャに埋め込まれたセンサは、その全体の使用寿命は固定された場合がある。他の機器は、アクティブ期間中では固定されるが、アクティブ期間中ではローミングし、または他の機器は完全にモバイルである場合がある。
【０００４】
一部のアプリケーションは、モビリティの影響を隠すために、ネットワークに対して異なる要件を有し、例えば、音声電話などのアプリケーションは、ネットワークに依存してシームレスなモバイルを保証することができ、ビデオストーミングなどのアプリケーションは、その自体の機能を使用してモバイル期間のサービス伝送（バッファにングなど）の中断を処理することができる。
【０００５】
「Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２（Ｒｅｌｅａｓｅ  １５）（技術仕様グループサービスおよびシステム、５Ｇシステムのアーキテクチャ、第２の段階（バージョン１５））」というタイトルの第３世代パートナーシッププロジェクトのドキュメント３ＧＰＰ  ＴＳ  ２３．５０１Ｖ０．５．０（２０１７−０５）は、５Ｇシステムの第２の段階システムアーキテクチャを定義している。
【０００６】
「Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｐｒｏｃｅｄｕｒｅｓ  ｆｏｒ  ｔｈｅ  ５Ｇ  Ｓｙｓｔｅｍ；  Ｓｔａｇｅ  ２（Ｒｅｌｅａｓｅ  １５）（技術仕様グループサービスおよびシステム、５Ｇシステムのプログラム、第２の段階（バージョン１５））」というタイトルの第３世代パートナーシッププロジェクトのドキュメント３ＧＰＰ  ＴＳ  ２３．５０２  Ｖ０．６．０（２０１７−０８）は、５Ｇシステムアーキテクチャの第２の段階プログラムおよびネットワーク機能サービスを定義している。
【発明の概要】
【発明が解決しようとする課題】
【０００７】
したがって、本発明の目的は、ネットワークを介して効率的なデータ伝送を提供することである。一例において、データは、サービス、特に、ユーザサービスであり得る。
【０００８】
本明細書では、システム、ユーザ機器、システムにおけるデータ処理するための方法、ユーザ機器における接続を制御するための方法、プログラムユニットおよびコンピュータ読み取り可能な媒体を提供する。
【課題を解決するための手段】
【０００９】
独立請求項では、本発明の主題を提供する。従属請求項では、本発明の他の例示的な実施例の特徴を提供する。
【００１０】
本発明の一形態によれば、システムを提供する。前記システムは、データ処理機器およびトランシーバ（システムトランシーバなど）を含む。一例において、データ処理機器およびトランシーバは単一の機器である。データ処理機器は、第１のシステムから第２のシステムに切り替えるなど、ユーザ機器が通信を前記システムから別のシステムに切り替える必要があることを検出するように適合される。データ処理機器は、さらに、ユーザ機器とシステムとの間の接続が中断された場合、ユーザ機器のデータを別のシステムに転送するようにトランシーバに通知するように適合される。
【００１１】
一例において、データ処理機器またはサービス処理機器を含むシステムまたはネットワーク要素（通信システムなど）を提供する。データ処理機器は、ユーザ機器との接続および／またはユーザ機器との通信が別のシステムに切り替えたことを検出するように適合され、データ処理機器は、さらに、ユーザ機器との接続が別のシステムに切り替える間に、ユーザ機器に対するデータを別のシステムに転送するように適合される。言い換えれば、ユーザ機器の新しい位置で前記ユーザ機器との接続および／または通信を確立するために、データ処理機器は中継機器を探すことができる。
【００１２】
前記システムおよび／または通信システムは、ネットワークおよび／またはネットワーク要素を含み得る。一例において、ネットワークは、コアネットワーク（ＣＮ）および／または無線アクセスネットワーク（ＲＡＮ）であり得る。前記システムはユーザ機器（ＵＥ）に接続する。
【００１３】
言い換えれば、ＵＥが第１のシステムに接続し、元のシステムにおける接続およびコンテキストが中断された同時に、ＵＥが第２のシステムに切り替えて通信する場合、第１のシステムは、ＵＥに対するデータを第２のシステムに転送し、第２のシステムは前記データをＵＥに送信する。第２のシステムは、第１のシステムのシステムと同じタイプのシステムであり得る。したがって、データ処理機器は、さらに、システムからの接続を受信し、前記接続および前記接続の任意のデータをＵＥに転送および／または中継するように適合されることができる。
【００１４】
したがって、第２のシステムを介してＵＥと第１のシステムとの間の通信を中継することができる。このようにして、ＵＥが第１のシステムでチューンアウェイ（ｔｕｎｅ  ａｗａｙ）される間に、ダウンリックのデータ伝送など、モバイル終端（ＭＴ：ｍｏｂｉｌｅ  ｔｅｒｍｉｎａｔｉｎｇ）を呼び出しすることができ、ＵＥが直接に達することができなくても、ＵＥは、ＭＴデータを処理することができる。したがって、第１のシステムから第２のシステムへの接続の切り替えは、ＵＥのＭＴの呼び出しデータに対する損失を防ぐことができ、ＵＥが第２のシステムに接続する間に、前記データは第１のシステムに達する。したがって、ＵＥが第１のネットワークから第２のネットワークにチューンアウェイし、さらに、ダウンリックデータが第１のネットワークに達した場合、第１のネットワークは、データを第２のネットワークに転送して、第１のネットワークのダウンリックデータが遅延または破棄されないようにすることができる。この接続の遷移は、ＵＥが到達不能であるとネットワークによって評価されることを防ぎ、さらに、ＵＥが別のシステムに移動中としても、前記ＵＥは依然として到達可能である。
【００１５】
第１のシステムから第２のシステムにチューンアウェイまたは切り替えることは、第１のネットワークから離れ、さらに、第２のネットワークに接続し、それにより、少なくとも、ＵＥが別のシステムに接続する間に接続の中継を形成する。システムを変更する原因の１つはＵＥのモビリティ要件であり得る。
【００１６】
本発明の別の態様によれば、接続制御機器または通信制御機器およびトランシーバ（ユーザ機器トランシーバなど）を含むユーザ機器を提供する。接続制御機器は、ユーザ機器が通信を第１のシステムから第２のシステムに切り替える必要があるかどうかを決定するように適合される。および／または、接続制御機器または通信制御機器は、さらにユーザ機器が通信を第１のシステムから第２のシステムに切り替える必要がある場合、ユーザ機器と第１のシステムとの間の接続を中断し、通信を第２のシステムに切り替えるように適合される。トランシーバは、第２のシステムからデータを受信するように適合される。
【００１７】
一例において、ユーザ機器を提供する。前記ユーザ機器は接続制御機器を含み、ここで、前記接続制御機器は、接続および／または通信を第１のシステムから第２のシステムに切り替えることを望むかどうかを決定するように適合される。および／または、接続制御機器は、さらに接続を第１のシステムから第２のシステムに切り替えることを望む場合、第１のシステムとの接続および／または通信を中断し、および／または第１のシステムとの接続のコンテキストを中断または記憶し、および接続を第２のシステムに切り替えるように適合される。接続制御機器は、さらにユーザ機器のコンテキストを中断または記憶するように適合されることができる。
【００１８】
ＵＥが動き回り、ＵＥにより近い新しいネットワーク要素（ＮＥ）があると決定した場合、切り替えることを望むか、または切り替える必要がある可能性がある。接続制御機器で中断または記憶されるコンテキストは、アクセス層のコンテキスト、非アクセス層のコンテキストまたはＵＥ能力など、ＵＥに対する構成を含み得る。一例において、ＵＥのメモリの情報ダンプの形でコンテキストを記憶することができる。
【００１９】
本発明のさらに別の態様によれば、システムにおけるデータ処理方法を提供し、前記方法は、ユーザ機器が通信を前記システムから別のシステムに切り替える必要があると検出することと、前記ユーザ機器との接続を中断し、および前記ユーザ機器のデータを別のシステムに転送することとを含む。
【００２０】
一例において、システムにおけるデータ処理方法を提供する。データはサービスを含み得る。前記方法は、システムとユーザ機器との間の接続を別のシステムに切り替えることを検出することと、およびユーザ機器との間の接続が別のシステムに切り替える間に、ユーザ機器に対するデータを別のシステムに転送することとを含む。
【００２１】
本発明の別の態様によれば、ユーザ機器における接続を制御するための方法を提供し、前記方法は、ユーザ機器が通信を第１のシステムから第２のシステムに切り替える必要があると決定することと、および／またはユーザ機器が通信を第１のシステムから第２のシステムに切り替える必要がある場合、ユーザ機器と第１のシステムとの間の接続を中断し、および通信を第２のシステムに切り替えることとを含む。前記方法は、第２のシステムからデータを受信することをさらに含む。
【００２２】
一例において、ユーザ機器における接続を制御するための方法を提供する。前記方法は、接続および／または通信を第１のシステムから第２のシステムに切り替えることを望むか、または切り替える必要があるかどうかを決定する。前記方法は、接続を第１のシステムから第２のシステムに切り替えることを望む場合、第１のシステムへの接続を中断しおよび／または第１のシステムへの接続のコンテキストを中断し、および接続を第２のシステムに切り替える。
【００２３】
本発明の別の態様によれば、プログラムユニットを提供し、前記プログラムユニットがプロセッサで実行されるときに、本発明の方法のうちの１つを実行するように適合される。
【００２４】
本発明の別の態様によれば、プログラムコードを含むコンピュータ読み取り可能な媒体を提供し、前記プログラムコードがプロセッサによって実行されるときに、本発明の方法のうちの１つを実行するように適合される。
【００２５】
コンピュータ読み取り可能な媒体は、フロッピーディスク、ハードディスク、ユニバーサルシリアルバス（ＵＳＢ）記憶機器、ランダムアクセスメモリ（ＲＡＭ）、読み取り専用メモリ（ＲＯＭ）または消去可能なプログラム可能な読み取り専用メモリ（ＥＰＲＯＭ）であり得る。コンピュータ読み取り可能な媒体は、プログラムコードをダウンロードすることができるようにする、データ通信ネットワーク（インターネットなど）であり得る。
【００２６】
本発明の別の態様によれば、データは、ぺージングメッセージおよび／またはユーザプレーンデータを含む。別の例において、データは、サービス、特にデータサービスを含む。これらのデータはＭＴの呼び出しのために使用される。
【００２７】
一例において、用語データ、データサービスおよび／またはデータは交換的に使用されることができる。前記用語は、システム間、ＵＥ間および／またはシステムとＵＥとの間の交換する情報を説明することができる。
【００２８】
本発明の別の態様によれば、データ処理機器は、ユーザ機器から、および／または別のシステムから別のシステムに関する情報を取得するように適合される。
【００２９】
一例において、データ処理機器は、ユーザ機器の指示および／または別のシステムの指示を介して別のシステムに関する情報を取得するように適合される。
【００３０】
前記システムは、以下の例のうちの１つの方式を通じて別のシステムの情報を取得することができる。一例において、接続およびコンテキストの中断を第１のシステムに通知した場合、ＵＥは、第１のシステムに第２のシステム情報を指示する。別の例において、第２のシステムは、第１のシステムに前記情報を指示する。例の任意の組み合わせも可能である。言い換えれば、第２のシステム情報は、第１のシステムが第２のシステムの情報を認識および／またはアドレッシングすることができるようにする。第２のシステム情報を第１のシステムに提供することにより、第１のシステムは第２のシステムと通信することができる。
【００３１】
一例において、システム情報は、コアネットワーク識別子（ＣＮ  ＩＤ）、ＮＢ  ＩＤまたはセルＩＤなど、ネットワークインデックスであってもよい。別の例において、システム情報は、５Ｇ用の５ＧＣ、ＬＴＥ用の進化型パケットコア（ＥＰＣ）など、ＣＮタイプなどのネットワークタイプであってもよい。ネットワークタイプは、ＬＴＥの進化のＵＴＲＡＮ（ＥＵＴＲＡＮ）、５Ｇのユーラジオ（ＮＲ）、ＷＬＡＮ、ブルートゥースなどの無線アクセス技術（ＲＡＴ）タイプであってもよい。
【００３２】
本発明の別の態様によれば、別のシステムに転送されるデータまたはサービスは、ターゲットのユーザ機器情報、ユーザプレーントンネル情報および／またはサービス品質（ＱｏＳ）情報のうちの少なくとも１つを含む。
【００３３】
言い換えれば、システムは、転送情報を含むデータを別のシステムに転送することができる。一例において、転送情報は、ＵＥインデックスなどのターゲットのＵＥ情報であってもよい。別の例において、転送情報は、ベアラ、ＱｏＳフロー、ＰＤＵセッション、ＰＤＮ接続情報などのユーザプレーントンネル情報であってもよい。さらに別の例において、転送情報はサービス品質（ＱｏＳ）情報であってもよい。
【００３４】
ＵＥに対するデータに加えて（例えば、ＵＥ用のデータに加えて）、さらに、転送情報を送信する。転送情報是は、ＵＥ、システムおよび別のシステムがどのようにリンクされるかを指示する情報である。このようにして、別のシステムは、どの情報がＵＥに転送されるかを了解する。一例において、データまたは転送情報は、次のノード、即ち別のシステムに透過的に伝送される。別の例において、転送トンネルに対して定義されたデータフレームを透過的に伝送することではなく、使用することができる。
【００３５】
本発明の別の態様によれば、データ処理機器は、トランシーバ（システムトランシーバなど）がユーザ機器のデータを別のシステムに転送する前に、データを前記システムのフォーマット（第１のシステムのフォーマットなど）から別のシステムのフォーマットに変換するように適合される。
【００３６】
一例において、データ処理機器は、別のシステムに転送されたデータを再フォーマットするように適合される。
【００３７】
一例において、転送情報が第２のシステムとしてフォーマットされた場合、第１のシステムは、情報を第１のシステムフォーマットから第２のシステムフォーマットに変換する。別の例において、転送情報が第１のシステムとしてフォーマットされた場合、第２のシステムは、情報を第１のシステムフォーマットから第２のシステムフォーマットに変換する。
【００３８】
言い換えれば、データ処理機器は、フォーマットをシステムのフォーマットと別のシステムのフォーマットとの間で再フォーマットするように適合される。したがって、２つのシステムが異なる伝送情報のフォーマットを有する場合、再フォーマットおよび／または変更を実行する。５Ｇシステム（５ＧＳ）の一例において、ＵＥとシステム（コアネットワークなど）との間の接続は、プロトコルデータユニット（ＰＤＵ）セッションを使用することができるが、別のシステムは、進化型パケットシステム（ＥＰＳ）に基くことができ、この場合、ＵＥと別のシステムとの間の接続はパケットデータネットワーク（ＰＤＮ）接続である。当該例において、システムのデータ処理機器は、ＰＤＵセッションに切り替え、および／または別のシステムのデータ処理機器はＰＤＮ接続に切り替える。
【００３９】
本発明の別の態様によれば、データ処理機器は、ユーザ機器のコンテキストを中断するように適用される。
【００４０】
一例において、データ処理機器は転送されたデータに適合される。
【００４１】
別の例において、システムおよび／または別のシステムは、事前に定義されたルールまたは事前に設定されたルールを使用して転送情報を変換する。一例において、事前に設定されたルールは、ＰＤＮ接続性とＰＤＵセッションとの間のマッピング方法、および／または５ＧＳ  ＱｏＳとＥＰＳ  ＱｏＳとの間のマッピング方法を定義する。
【００４２】
さらに別の例において、データ処理機器は、転送されたデータが前記システムからのものであることを指示するように適合される。
【００４３】
別の例において、別のシステムは、前記システムから転送されたデータをＵＥに送信し、送信されたデータで、前記データが前記システムからのものであることを指示するように適合される。この方式を通じて、ＵＥは、受信されたデータおよび／またはデータは、データおよび／または前記システムからのデータを決定することができ、さらに別のシステムによって転送および／または中断されることのみである。前記指示は、ＵＥにデータが前記システムに属するネットワークからのものだと通知し、ＵＥの下位層は、データを対応する上位層、即ち、ＵＥとシステムとの間の接続に属する上位層に伝送し、前記接続は、物理層で非アクティブ状態になる可能性がある。
【００４４】
一例において、データおよび／またはサービスはぺージングメッセージである。データはページングメッセージである場合、ＵＥは、第１のシステム接続を回復することにより、または第２のシステムの接続により、第１のシステムへのページングに応答する。
【００４５】
言い換えれば、一例において、ＵＥが第２のシステムを介してページングメッセージを受信した場合、ＵＥは、ＵＥと第２のシステムとの間のアクティブ接続を介して前記ページングメッセージに応答することができる。別の例において、ＵＥが第２のシステムを介してページングメッセージを受信した場合、ＵＥは、ＵＥと第１のシステムとの間の非アクティブ接続を再活性化し、且つ復元し、ＵＥと第１のシステムとの間の再確立された接続を介して前記ページングメッセージに応答することができる。どのオプションを使用するかは、ＵＥの設計に依存し、またはシステムやネットワークからＵＥに送信した指示に依存する。前記指示は、ぺージングメッセージに含まれることができる。
【００４６】
本発明の別の態様によれば、接続制御機器は、さらに、ユーザ機器が通信を第２のシステムから第１のシステムに切り替える必要があるかどうかを決定するように適合され、ユーザ機器が通信を第２のシステムから第１のシステムに切り替える必要がある場合、接続制御機器は、さらに、ユーザ機器と第１のシステムとの間の接続を復元し、および通信を第１のシステムに切り替えるように適合される。
【００４７】
一例において、接続制御機器は、接続を第２のシステムから第１のシステムに切り替えることを望むかどうかを決定するように適合され、接続を第２のシステムから第１のシステムに切り替えることを望む場合、第１のシステムへの接続および／または第１のシステムへの接続のコンテキストを復元し、接続を第１のシステムに切り替える。
【００４８】
接続を第２のシステムから第１のシステムに切り替えるためには、第１のシステムから第２のシステムへの切り替えおよび／またはチューンアウェイが事前に発生する必要がある。
【００４９】
本発明のさらに別の態様によれば、トランシーバは、第２のシステムからの指示を受信するように適合される。前記指示は、データが第１のシステムからのものであることを指示する。
【００５０】
一例において、接続制御機器は、さらに、第２のシステムとの接続内でＵＥによって受信されたデータのタイプを決定するように適合され、受信されたデータのタイプに従って、第１のシステムとの接続または第２のシステムとの接続のうちの１つを使用すると決定する。第２のシステムとの接続は、ＵＥと第２のシステムとの間の接続である。
【００５１】
受信されたデータのデータタイプが第１のシステムからのぺージングメッセージである場合、ＵＥは、ページング応答メッセージで第１のシステムに応答する。前記ページング応答メッセージを送信するために、ＵＥは、第１のシステムへの接続を復元および／または再確立し、前記再確立された接続を介してページング応答メッセージを送信し、またはＵＥは、既存の第２のシステムへの接続を使用し、第２のシステムと第１のシステムとの接続を介してペーシング応答メッセージを送信することができる。
【００５２】
別の例において、接続制御機器は、さらに、第２のシステムとの接続で受信されたデータおよび／またはサービスのタイプを決定するように適合され、受信されたサービスのタイプおよび／またはデータのタイプに従って第１のシステムとの接続または第２のシステムとの接続を使用することを決定する。
【００５３】
本発明の一形態によれば、データ処理方法および／またはユーザ機器における接続および／または通信を制御するための方法において、データは、ぺージングメッセージおよび／またはユーザプレーンデータを含む。
【００５４】
本発明の一形態によれば、データ処理法は、ユーザ機器から、および／または別のシステムから別のシステムに関する情報を取得することをさらに含む。
【００５５】
本発明の一形態によれば、データ処理方法は、ユーザ機器のコンテキストを中断することさらに含む。
【００５６】
本発明の各態様は、異なる主題を参照して説明されたことに留意されたい。具体的に、いくつかの態様は機器タイプの請求項を参照して説明され、他の態様は方法タイプの請求項を参照して説明されている。しかし、特に明記しない限り、当業者は、上記および以下の説明から、１つのタイプの主題に属する特徴間の任意の組み合わせに加えて、異なるタイプの主題に関する特徴間の任意の組み合わせは、本明細書で開示されたと見なされることがわかる。具体的に、機器タイプの請求項に関する特徴と方法タイプの請求項に関する特徴との間の組み合わせは開示されたと見なされる。
【図面の簡単な説明】
【００５７】
以下の図面の説明では本発明の他の実施例を説明する。以下、実施例を用いて、図示の図面を参照して詳細に本発明を説明する。
【図１ａ】本発明の例示的な実施例に係るＵＥのシングル受信モードを使用して２つのシステムに接続されたＵＥを示す。
【図１ｂ】本発明の例示的な実施例に係るＵＥのデュアル受信／シングル送信モードを使用して２つのシステムに接続されたＵＥを示す。
【図１ｃ】本発明の例示的な実施例に係るＵＥのデュアル受信／デュアル送信モードを使用して２つのシステムに接続されたＵＥを示す。
【図２】本発明の例示的な実施例に係る第１のシステムに接続されたＵＥの配置を示す。
【図３】本発明の例示的な実施例に係るＵＥと第１のシステムとの接続を遷移接続（ｄｉｖｅｒｔｅｄ  ｃｏｎｎｅｃｔｉｏｎ）に切り替えた後に第２のシステムに接続されたＵＥの配置を示す。
【発明を実施するための形態】
【００５８】
以下では、同じ図面番号は、同じまたは同等な機能を備えたコンポーネントに使用される。コンポーネントの方向についての任意の説明は、すべて図に示された位置に対して行われ、実際の適用位置では自然に変化することができる。
【００５９】
ＵＥとシステムとの間の接続に対して、ＤＲモードを使用することができる。デュアル登録（ＤＲ）モードを使用して操作する場合、ＵＥの動作はＵＥの下位層能力の影響を受ける場合がある。明細書のコンテキストにおいて、下位層能力は、例えばＲＦ能力またはＴＸ／ＲＸ能力であり得る。ＵＥが２つまたは複数のシステムまたはネットワークユニットに同時に接続するようにするために、通常、ＤＲモードを使用する。一例において、ＵＥは、５ＧまたはＬＴＥなどの異なるアクセス技術を使用して２つまたは２つ以上のネットワークに接続することができる。
【００６０】
具体的に、ＵＥは、シングルＲｘ、デュアルＲｘ／シングルＴｘおよびデュアルＲｘ／デュアルＴｘの３つの下位層能力のうちの１つを有することができる。
【００６１】
ＵＥがこれらのＤＲモードのうちの１つに切り替えた場合、ＵＥは、２つまたは２つ以上のネットワーク内で同時に登録し、前記２つまたは２つ以上のネットワークと通信することができる。
【００６２】
図１ａは、本発明の例示的な実施例に係るＵＥのシングルＲｘ（受信）モードを使用して２つシステム１０１’、１０２’に接続されたＵＥ１０３’を示す。第１のシステム１０１’および第２のシステム１０２’は、それぞれ、第１のネットワークおよび第２のネットワークに対応するアクセスノードと見なされることができる。
【００６３】
前記シングルＲｘ能力を使用して、ＵＥ１０３’は、１つのシステム１０１’、１０２’のみでアクティブに送信および受信することができる。別のシステムにおけるぺージングチャネルを確認し、および／または別のシステムにおける任意の他のアクティブ（定期的な登録更新など）を実行するために、ＵＥは現在のシステムから「チューンアウェイ（ｔｕｎｅ−ａｗａｙ）」する必要がある。
【００６４】
物理制御チャネルをモニタリングすることによってペーシングチャネルを認識することができ、前記物理制御チャネルは、特定の無線ネットワーク一時識別子（ＲＮＴＩ）（ぺージング−ＲＮＴＩ（Ｐ−ＲＮＴＩ）など）によってアドレッシングされるＰＤＣＣＨチャネルなどである。ＲＮＴＩは、システムとＵＥとの間のチャネル内のＵＥ  ＩＤと見なされることができる。
【００６５】
送信パス（Ｔｘ）１０４’ａおよび受信パス（Ｒｘ）１０５’ａの実線で示されたように、第１のシステム１０１’への接続および／または第１のシステム１０１’への通信のみを同時に維持することができる。第２のシステム１０２’への接続および／または通信を望む場合、これらの接続は第１の接続１０４’ａ、１０５’ａと同時に使用することができないため、ＵＥ１０３’は、必ず、第１のシステムから第２のシステム１０２’にチューンアウェイして切り替え、点線で指示された第２の送信パス（Ｔｘ）１０４’ｂおよび第２の受信パス（Ｒｘ）１０５’ｂを使用する。
【００６６】
図１ｂは、本発明の例示的な実施例に係るＵＥのデュアルＲｘ／シングルＴｘ（送信）モードを使用して２つのシステムに接続されたＵＥを示す。
【００６７】
このデュアルＲｘ／シングルＴｘ能力により、ＵＥ１０３’’は、現在のシステムでアクティブ状態になる同時に、別のシステム１０２’’におけるぺージングチャネルをモニタリングすることができる。ＵＥ１０３’’が、定期的登録更新など、別のシステムにおけるぺージングメッセージに応答する必要があり、または別のシステムの任意の他のアクティブを実行する必要がある場合、ＵＥ１０３’’は、現在のシステムから再び「チューンアウェイ」される必要がある。
【００６８】
デュアルＲｘ／シングルＴｘモードで、ＵＥ１０３’’は、第１の送信パス１０４’’ａおよび第１の受信パス１０５’’ａおよび第２の受信パス１０７’’ｂを同時に使用することができる。第２の送信パス１０４’’ｂを使用するために、第１の送信パス１０４’’は、必ず、第１のシステム１０１’’から第２のシステム１０２’’に切り替える。
【００６９】
図１ｃは、本発明の例示的な実施例に係るＵＥのデュアルＲｘ／デュアルＴｘモードを使用して２つのシステムに接続されたＵＥを示す。
【００７０】
このデュアルＲｘ／デュアルＴｘ能力を介して、ＵＥ１０３’’’は、２つシステム１０１’’’、１０２’’’で同時に送受信することができる。
【００７１】
言い換えれば、デュアルＲｘ／シングルＴｘモードで、ＵＥ１０３’’’は、第１の送信パス１０４’’’ａと第１の受信パス１０５’’’ａおよび第２の送信パス１０６’’’ｂと第２の受信パス１０７’’’ｂを使用することができる。第１の送信パス１０４’’’ａと第１の受信パス１０５’’’ａは、ＵＥ１０３’’’と第１のシステム１０１’’’との間の第１の接続を形成する。第２の送信パス１０６’’’ｂと第２の受信パス１０７’’’ｂは、ＵＥ１０３’’’と第２のシステム１０２’’’との間の第２の接続を形成する。
【００７２】
上記のように、シングルＲｘまたはデュアルＲｘ／シングルＴｘを有するＵＥ１０３’、１０３’’は、別のシステム１０２’、１０２’’で伝送を実行する場合、現在のシステム１０１’、１０１’’から「チューンアウェイ」する必要があり、これはＵＥが１つの無線アクセス技術（ＲＡＴ）のみを介して伝送するためである。
【００７３】
これは、ＵＥ１０３’、１０３’’が、必ず現在のシステム１０１’、１０１’’との接続および／または通信を自律的に解放し、さらに、別のシステム１０２’、１０２’’にアクセスすることを意味する。ネットワークの観点から見る場合、ＵＥはカバレッジエリアを越えているようである。ネットワークがカバレッジエリアを超えたＵＥを処理することができるとしても、ネットワークアリゴリズムおよび主要業績評価指数（ＫＰＩｓ）に影響を与える可能性がある。
【００７４】
ＵＥ１０３’、１０３’’が別のシステム１０２’、１０２’’に調整された場合、ＵＥ１０３’、１０３’’は、現在のシステム接続およびコンテキストを中断し、戻るときにそれを復元することができる。中断された期間では、ＭＴの呼び出しが達したときに、この状況をどうやって処理するかはまだわからない。
【００７５】
技術案を提供し、ネットワークがＵＥ（前記ネットワークに対して、ＵＥは再び接続および／またはカバーされないため）を見ることができないとしても、ＵＥ１０３’、１０３’’がＭＴの呼び出しに応答するようにする。
【００７６】
本発明は、ぺージングデータまたはダウンリックデータが古い（第１の）システム１０１’、１０２’’から新しい（第２の）システム１０１’’、１０２’’に転送し、およびぺージングデータまたはダウンリックデータを第２のシステム１０１’’、１０２’’を介してＵＥ１０３’、１０３’’に送信することを提案する。接続を第１のシステム１０１’、１０２’’から第２のシステム１０１’’、１０２’’に切り替える場合、第１のシステム１０１’、１０２’’は古いシステム１０１’、１０２’’であり、第２のシステム１０１’’、１０２’’は新しいシステムである。言い換えれば、接続および／または通信を解放するシステムは古いシステムとして指定されることができる。接続および／または通信を受信するシステムは新しいシステムとして指定される。
【００７７】
言い換えれば、本発明は、ＵＥがチューンアウェイされる時のＭＴデータ処理の方式を示す。特に、本発明は、シングルＲｘモードおよび／またはデュアルＲｘ／シングルＴｘモードのための技術案を示し、ここで、少なくとも１つの送信パスおよび／または１つの受信パスは第１のネットワークから切断されている。
【００７８】
ぺージングデータ、ぺージング情報、ぺージングサービスおよび／またはぺージングデータがネットワークからＵＥに送信するため、ぺージングデータはＭＴデータの一例である。ＭＴデータは、移動局で終了および／またはＵＥで終了する。
【００７９】
図２は、本発明の例示的な実施例に係る第１のシステムに接続されたＵＥの配置を示す。
【００８０】
この配置では、ＵＥ２０３およびシステム１０１を示す。別のシステム１０２への接続を確立する場合、ＵＥ２０３は、シングルＲｘモードおよび／またはデュアルＲｘ／シングルＴｘモードのみを実現することができる可能性がある。別のシステム１０２への接続を確立する原因は、ＵＥ２０３の移動または別のシステム２０２によって実現されたシステム２０１と異なるアクセス技術であり得る。第１のシステム２０１および第２のシステム２０２は、ネットワーク２１０のアクセスノードなど、同じタイプのシステムであってもよい。
【００８１】
システム２０１または第１のシステム２０１は、データ処理機器およびトランシーバ（図２に未図示）を含む。データ処理機器２０９は、ユーザ機器２０３が通信２０４ａおよび／または接続２０４ａを第１のシステム２０１から別のシステム２０２（第２のシステム２０２になど）に切り替える必要があるかどうかを検出するように適合される。データ処理機器２０９は、さらに、ユーザ機器とシステムとの接続が中断された場合、ユーザ機器２０３のデータを別のシステム２０２に転送するようにトランシーバに通知するようにに適合される。一例において、接続を介して通信を伝送する。
【００８２】
第１のシステム２０１は、データ処理機器２０９を含む。ＵＥは、第１のアクセス接続２０４ａおよび／または第１のアクセス通信２０４ａおよびバックボーン（ｂａｃｋｂｏｎｅ）接続２０８および／またはバックボーン通信２０８を介してネットワーク２１０に接続することができる。データ処理機器２０９は、第１のアクセス接続２０４ａおよび／または第１のアクセス通信２０４ａとバックボーン接続２０８とリンクする。データ処理機器２０９は、ユーザ機器２０３が通信２０４ａをシステム２０１から別のシステム２０２切り替える必要があると検出するように適合される。一例において、データ処理機器２０９は、ユーザ機器（ＵＥ）２０３との接続２０４ａが別のシステム２０２に切り替えたことを検出するように適合される。データ処理機器２０９は、さらに、ユーザ機器とシステムとの接続が中断された場合、ユーザ機器２０３のデータを別のシステム２０２に転送するようにシステムのトランシーバに通知するように適合される。一例において、データ処理機器２０９は、ユーザ機器との接続が別のシステム２０２に切り替える間に、ＵＥ２０３のデータを別のシステム２０２に転送するように適合される。アクセス接続２０４ａおよび／またはアクセス通信２０４ａは、シングルＴｘ１０４’’ａの接続、シングルＴｘ１０４’’ａの通信、デュアルＴｘ／Ｒｘの通信１０４’ａ、１０５’ａおよび／またはデュアルＴｘ／Ｒｘの接続１０４’ａ、１０５’ａであり得る。これらのシングル接続および／または通信は、単一のシステム２０１、２０２のみに同時に接続されるであるため、ＵＥがＵＥを介して情報を送信することを望み、および／またはＵＥを介して情報を送信することを必要とする対応するアクセスシステム２０１、２０２に接続する必要がある。図２では、ＵＥ２０３は、第１のシステム２０１のみを介してネットワーク２１０に情報、データおよび／またはデータサービスを送信することができる。
【００８３】
ユーザ機器２０３は、接続制御機器２１１または通信制御機器２１１およびＵＥトランシーバ（図２に未図示）を含む。接続制御機器２１１または通信制御機器２１１は、ユーザ機器２０３が通信を第１のシステム２０１から第２のシステム２０２に切り替える必要があるかどうかを決定するように適合される。接続制御機器２１１または通信制御機器２１１は、ユーザ機器と第１のシステム２０１との間の接続２０４ａおよび／または通信２０４ａを中断するように適合され、およびユーザ機器２０３が通信を第１のシステム２０１から第２のシステム２０２に切り替える必要がある場合、前記接続２０４ａおよび／または通信２０４を第２のシステム２０２に切り替える。トランシーバは、第２のシステム２０２からデータを受信する。
【００８４】
一例において、ユーザ機器２０３は、接続制御機器２１１または通信制御機器２１１を含む。接続制御機器２１１または通信制御機器２１１は、接続２０４ａを第１のシステム２０１から第２のシステム２０２に切り替えることが望まれるかどうかを決定するように適合される。接続制御機器２１１は、第１のシステム２０１への接続および／または第１のシステム２１１への接続のコンテキストを中断し、および／または接続を第１のシステムから第２のシステム２０２に切り替えることを望む場合、接続２０４ａを第２のシステム２０２に切り替えるように適合される。
【００８５】
切り替えた後、接続２０４ａまたは通信２０４ａを第２のシステム２０２に再ルーティングおよび／または調整すれば、図３の配置が現れる。図３は、本発明の例示的な実施例に係る、ＵＥと第１のシステム２０１との間の接続２０４ａおよび／または通信２０４ａを遷移接続２０４ｂおよび／または遷移通信２０４ｂに切り替えた後、第２のシステム２０２に接続したＵＥ２０３の配置を示す。遷移接続２０４ｂおよび／または遷移通信２０４ｂはＵＥ２０３を第２のシステム２０２に接続する。この配置では、データ処理機器２０９は、第１のデータ処理機器２０９と第２のデータ処理機器２０９’との間にシステム間の接続２０４ｃまたはシステム間の通信を確立する。
【００８６】
第１のデータ処理機器および第２のデータ処理機器２０９、２０９’は、同じタイプのデータ処理機器であり、図３では、２つのデータ処理機器２０９、２０９’は異なるモードで動作する。
【００８７】
第１のデータ処理機器２０９は、バックボーン転送モードで動作する。このモードでは、第１のデータ処理機器２０９は、ネットワーク２１０からデータを受信し、および／またはネットワーク２１０にデータを送信し、システム間の接続２０４ｃとバックボーン接続２０８との間でデータをマッピングする。
【００８８】
第２のデータ処理機器２０９’は、ＵＥ転送モードで動作する。このモードでは、第２のデータ処理機器２０９’は、ＵＥ２０３からデータを受信し、および／またはＵＥ２０３にデータを送信し、遷移アクセス接続２０４ｂとシステムとの接続２０４ｃとの間でデータをマッピングし、および／または遷移アクセス通信２０４ｂとシステムとの通信２０４ｃとの間でデータをマッピングする。
【００８９】
図３に係る遷移配置では、接続制御機器２１１または通信制御機器２１１および第１のデータ処理機器２０９は、ＵＥ２０３と第１のシステム２０１との間の接続および／または通信を再確立するために、元の接続２０４ａのコンテキスト、原始通信２０４ａのコンテキスト、第１の通信２０４ａのコンテキストおよび／または第１の接続２０４ａのコンテキストを記憶および／または中断する。代替例において、記憶および／または中断されたコンテキストは、ＵＥコンテキストであってもよくおよび／またはＵＥコンテキストを含む。
【００９０】
ＵＥ２０３で受信ぺージング情報などのＭＴデータメッセージを受信した後、第１の接続を再確立する必要がある可能性がある。
【００９１】
データ処理機器２０９および接続制御機器２１１が単一の機器または特定ユニットとして示されても、そのそれぞれの特徴を処理するために、ＵＥ２０３またはシステム２０１、２０２の既存の機器またはユニットを拡張することができる。
【００９２】
接続２０４ａおよび２０８または接続２０４ｂ、２０４ｃ、２０８は、下流方向（即ち、ネットワーク２１０からＵＥ２０３への方向）でペイロード情報を伝送する。これらの接続および／または通信は、この目的のために確立する必要がある転送トンネルを形成する。したがって、データを伝送しない時でも、２つのシステム２０１、２０２は接続を維持する。
【００９３】
用語「含む」は他のコンポーネントまたはステップを除外せず、「１つ」は複数を除外しないことに留意されたい。さらに、異なる実施例を参照して説明された要素を組み合わせることができる。
【００９４】
請求項の参照記号は、請求項の範囲を限定するものとして解釈されるべきではないことにさらに留意されたい。
【符号の説明】
【００９５】
１０１’  シングルＲｘモードを使用する第１のシステム
１０２’  シングルＲｘモードを使用する第２のシステム
１０３’  シングルＲｘモードを使用するＵＥ
１０４’ａ  シングルＲｘモードを使用する第１の送信パス（Ｔｘ）
１０５’ａ  シングルＲｘモードを使用する第１の受信パス（Ｒｘ）
１０４’ｂ  シングルＲｘモードを使用する第２の送信パス（Ｔｘ）
１０５’ｂ  シングルＲｘモードを使用する第２の受信パス（Ｒｘ）
１０１’’  デュアルＲｘ／シングルＴｘモードを使用する第１のシステム
１０２’’  デュアルＲｘ／シングルＴｘモードを使用する第２のシステム
１０３’’  デュアルＲｘ／シングルＴｘモードを使用するＵＥ
１０４’’ａ  デュアルＲｘ／シングルＴｘモードを使用する第１の送信パス（Ｔｘ）
１０５’’ａ  デュアルＲｘ／シングルＴｘモードを使用する第１の受信パス（Ｒｘ）
１０４’’ｂ  デュアルＲｘ／シングルＴｘモードを使用する第２の送信パス（Ｔｘ）
１０７’’ｂ  デュアルＲｘ／シングルＴｘモードを使用する第２の受信パス（Ｒｘ）
１０１’’’  デュアルＲｘ／デュアルＴｘモードを使用する第１のシステム
１０２’’’  デュアルＲｘ／デュアルＴｘモードを使用する第２のシステム
１０３’’’  デュアルＲｘ／デュアルＴｘモードを使用するＵＥ
１０４’’’ａ  デュアルＲｘ／デュアルＴｘモードを使用する第１の送信パス（Ｔｘ）
１０５’’’ａ  デュアルＲｘ／デュアルＴｘモードを使用する第１の受信パス（Ｒｘ）
１０６’’’ｂ  デュアルＲｘ／デュアルＴｘモードを使用する第２の送信パス（Ｔｘ）
１０７’’’ｂ  デュアルＲｘ／デュアルＴｘモードを使用する第２の受信パス（Ｒｘ）
２００  配置
２０１  第１のシステム
２０２  第２のシステム
２０３  ＵＥ
２０４ａ  アクセス接続、アクセス通信
２０４ｂ  遷移アクセス接続、遷移アクセス通信
２０４ｃ  システム間の接続、システム間の通信
２０８  バックボーン接続、バックボーン通信
２０９、２０９’  データ処理機器またはサービス処理機器
２１０  ネットワーク
２１１  接続制御機器
【図１ａ】
2021505041.tif 000003
【図１ｂ】
2021505041.tif 000004
【図１ｃ】
2021505041.tif 000005
【図２】
2021505041.tif 000006
【図３】
2021505041.tif 000007
【国際調査報告】
2021505041.tif 000008
2021505041.tif 000009